(57)【要約】【課題】足場の下での作業性が向上し、且つ、組立及び解体の容易な構造の吊り足場を提供する。【解決手段】吊り足場１０の組立作業は、まず、躯体２２の天井面２２Ａのブラケット２４にチェーン１２を吊るし、このチェーン１２の下部に環状部１２Ａを形成する。そして、環状部１２Ａ、１２Ａに鋼管１４を挿入し、鋼管１４を水平に支持させる。次いで、鋼管１４の一つを係止部材１８によって壁面２２Ｂに係止する。そして、鋼管１４、１４に足場板１６を架け渡す。これによって吊り足場１０が形成される。チェーン１２の環状部１２Ａには長さ調整装置２０が設けられ、この長さ調整装置２０によってチェーン１２の長さが調整され、吊り足場１０の高さが調整される。【選択図】      図１
2005090160.tif 000002
【特許請求の範囲】
【請求項１】
建屋の躯体の天井面又は壁面に吊り下げられる吊り足場において、
前記天井面又は壁面に吊り下げられるとともに、下部に環状部が形成される複数のチェーンと、
前記複数の環状部に挿入されることによって略水平に支持されるとともに、同じ高さ位置に配置される複数の支持棒と、
前記複数の支持棒のうち、少なくとも一つの支持棒を前記躯体の壁面に係止する揺れ止め用係止部材と、
前記複数の支持棒に架け渡される足場板と、
を備えたことを特徴とする吊り足場。
【請求項２】
前記チェーンには長さ調整装置が取り付けられることを特徴とする請求項１に記載の吊り足場。
【請求項３】
前記長さ調整装置は、前記チェーンが係合される第１係合部を備えた本体と、該本体にスライド自在に支持されるとともに前記チェーンが係合される第２係合部を備えたスライド部材と、を備えたことを特徴とする吊り足場。
【発明の詳細な説明】
【技術分野】
【０００１】
本発明は吊り足場に係り、特に原子力発電所の建設現場に用いる吊り足場に関する。
【背景技術】
【０００２】
原子力発電所の建設現場では、室内の高所に配管、電線、照明等を設置する施工作業が行われる。その際、施工作業は、仮設した足場の上で行われる。
【０００３】
特許文献１には、移動式の吊り足場が記載されている。この吊り足場によれば、天井面に配設されたレールに走行用ローラが設けられ、この走行用ローラにホイストを介してロープが吊るされ、さらにロープに足場が吊り下げられて吊り足場が形成されている。この吊り足場によれば、ホイストでワイヤロープを巻き上げることによって足場を上下動させることができる。また、レールに沿って走行用ローラを走行させることによって足場を水平方向に移動させることができる。したがって、特許文献１によれば、足場の位置を自在に変えることができる。
【０００４】
しかし、このような吊り足場は、全ての施工箇所の上方にレールを配設する必要があり、レールの配設作業に手間がかかるという問題があった。また、レールを設置できない建設現場では、施工作業を行うことができないという問題もあった。
【０００５】
このため、従来は、図７に示す移動式の足場を用いていた。この足場は、複数の鋼管１、１…を組み立てて骨組みを形成し、その上部に水平板２、２を架け渡すことによって、製造されている。骨組みの下端には車輪３、３…が設けられ、施工箇所に応じて移動できるようになっている。
【特許文献１】特開平９−６０２９０号公報
【発明の開示】
【発明が解決しようとする課題】
【０００６】
しかしながら、図７に示した移動式の足場は、水平板２の下方に複数の鋼管１、１、…が配設されているため、水平板２の下方で作業したり、水平板２の下方を通過したりすることができないという問題があった。このため、足場２の下で作業する人の作業性が悪いという問題があった。
【０００７】
本発明はこのような事情に鑑みてなされたもので、足場の下での作業性が向上し、且つ、組立及び解体の容易な構造の吊り足場を提供することを目的とする。
【課題を解決するための手段】
【０００８】
請求項１記載の発明は前記目的を達成するために、建屋の躯体の天井面又は壁面に吊り下げられる吊り足場において、前記天井面又は壁面に吊り下げられるとともに、下部に環状部が形成される複数のチェーンと、前記複数の環状部に挿入されることによって略水平に支持されるとともに、同じ高さ位置に配置される複数の支持棒と、前記複数の支持棒のうち、少なくとも一つの支持棒を前記躯体の壁面に係止する揺れ止め用係止部材と、前記複数の支持棒に架け渡される足場板と、を備えたことを特徴としている。
【０００９】
請求項１に記載の発明によれは、チェーンによって吊り下げた複数の支持棒に足場板を架け渡すことによって吊り足場が形成されるので、足場板の下方には作業スペースが確保される。したがって、足場板の下方で作業したり、足場板の下方で荷物を搬送したりすることができるので、足場板の下方での作業性を向上させることができる。
【００１０】
また、請求項１に記載の吊り足場は、チェーン、支持棒、係止部材、及び足場板から成る簡易な構成であり、組立作業や分解作業を容易に行うことができる。例えば、組立作業は、躯体の天井面又は壁面にチェーンを吊り下げ、そのチェーンの下端に環状部を形成した後、環状部に支持棒を挿入して水平に支持させる。そして、支持棒の少なくとも一本を壁面に係止させ、さらに複数の支持棒の間に足場板を架け渡すことによって吊り足場が組み立てられる。また、吊り足場の解体作業は、支持棒から足場板と係止部材を取り外した後、支持棒をチェーンの環状部から引き抜き、さらにチェーンを天井面又は壁面から取り外すことによって解体される。このように、請求項１に記載の吊り足場は、組立作業や解体作業を容易に行うことができる。
【００１１】
また、請求項１に記載の吊り足場は、揺れ止め用係止部材によって支持棒を壁面に係止させるので、揺れることのない安定した吊り足場を形成することができる。
【００１２】
請求項２に記載の発明は請求項１の発明において、前記チェーンには長さ調整装置が設けられることを特徴としている。
【００１３】
請求項２に記載の発明によれば、チェーンに長さ調整装置が取り付けられているので、吊り足場の高さ位置を調整することができる。
【００１４】
請求項３に記載の発明は請求項１又は２の発明において、前記長さ調整装置は、前記チェーンが係合される第１係合部を備えた本体と、該本体にスライド自在に支持されるとともに前記チェーンが係合される第２係合部を備えたスライド部材と、を備えたことを特徴としている。
【００１５】
請求項３に記載の発明によれば、チェーンを第１係合部と第２係合部に係合させた状態で、スライド部材を本体に対してスライド移動させ、第１係合部と第２係合部との間隔を調整することによって、第１係合部と第２係合部に係合されたチェーンの長さを調整することができる。
【発明の効果】
【００１６】
本発明に係る吊り足場によれば、チェーン、支持棒、係止部材、及び足場板から成る簡易な構造であり、組立作業や解体作業を迅速に行うことができる。したがって、建設現場での作業時間を大幅に短縮することができる。
【００１７】
また、本発明に係る吊り足場によれば、吊り足場の下方に作業スペースが確保されるので、吊り足場の下方で作業したり、搬送したりすることができ、吊り足場の下方での作業性を向上させることができる。
【発明を実施するための最良の形態】
【００１８】
以下添付図面に従って、本発明に係る吊り足場の好ましい実施の形態について説明する。
【００１９】
図１は、本発明に係る吊り足場の構成を模式的に示す側面図であり、図２は、吊り足場の斜視図である。
【００２０】
図１に示すように、吊り足場１０は、例えば鉄筋コンクリートから成る躯体２２に吊り下げられる足場であり、チェーン１２、鋼管（支持棒に相当）１４、足場板１６、係止部材１８、及び長さ調整装置２０を用いて組み立てられる。
【００２１】
チェーン１２は、躯体２２の天井面２２Ａに配設されたブラケット２４に吊り下げられている。このブラケット２４は躯体２２の建設時に予め鉄筋に熔接される。
【００２２】
図２に示すようにチェーン１２は、四本吊り下げられており、各チェーン１２の下端部に環状部１２Ａが形成されている。図３に示すように、環状部１２Ａは、チェーン１２を構成する複数のリング４８、４８…のうち、先端のリング４８Ａと、それ以外のいずれかのリング４８Ｂとを連結することによって形成される。リング４８Ａとリング４８Ｂの連結方法は特に限定するものではなく、例えばボルト２６のねじ部分をリング４８Ａ、４８Ｂに挿入し、ナット２８を締め込むことによって連結される。
【００２３】
なお、リング４８Ｂは、先端のリング４８Ａ以外のどのリング４８、４８…を選択してもよく、形成する吊り足場１０の高さ位置に応じて選択される。すなわち、リング４８Ｂを選択することによって、吊り足場１０の高さ位置を調整することができる。また、リング４８Ｂの選択は、各チェーン１２、１２…の環状部１２Ａ、１２Ａ…が、同じ高さ位置になるように行われる。
【００２４】
図２に示すように、鋼管１４は、環状部１２Ａ、１２Ａに挿入されることによって略水平に支持される。鋼管１４は二本設けられ、鋼管１４、１４同士が平行になるように配設される。なお、鋼管１４の長さや強度が不足する場合には、複数の鋼管１４、１４…を針金等で緊結して使用するとよい。
【００２５】
鋼管１４の両端部には、キャップ３０が装着される。キャップ３０は、樹脂やゴム等の弾性体から成り、このキャップ３０を装着することによって、鋼管１４の端部が壁面２２Ｂに接触した際に壁面２２Ｂが損傷することを防止できる。また、キャップ３０は、鋼管１４よりも外径が大きいため、環状部１２Ａが鋼管１４の軸方向にずれた際にキャップ３０に引っ掛かり、鋼管１４から脱落することを防止できる。
【００２６】
鋼管１４、１４のうち、一方の鋼管１４には、図３に示す係止部材１８が取り付けられている。係止部材１８は、保持部１８Ａと取付部１８Ｂを備え、取付部１８Ｂには、挿通孔１８Ｃ、１８Ｃが形成されている。この挿通孔１８Ｃ、１８Ｃを通してアンカーボルト３２、３２を壁面２２Ｂ（図１参照）に打ちつけることによって、取付部１８Ｂが壁面２２Ｂに固定される。保持部１８Ａは、凹状に形成されており、この保持部１８Ａに鋼管１４の端部を差し込むことによって鋼管１４が保持される。これにより、鋼管１４を壁面２２Ｂに係止することができる。
【００２７】
なお、上述した例では、鋼管１４の片方の端部のみを係止部材１８によって壁面２２Ｂに係止したが、これに限定するものではなく、鋼管１４の両端部をそれぞれ、対向する壁面２２Ｂに係止するようにしてもよい。また、一本の鋼管１４だけでなく、両方の鋼管１４、１４を係止部材１８によって係止するようにしてもよい。なお、鋼管１４を三本以上配設した場合には、複数本おきに係止部材１８を取り付けて係止することが好ましい。
【００２８】
図２に示すように、足場板１６は細長い矩形状に形成されており、この足場板１６の縁には円弧状のフック３５、３５…が設けられる。このフック３５、３５…を鋼管１４、１４に上方から係合させることによって、足場板１６が水平に支持される。足場板１６は、例えばアルミ製のエキスパンドメタルから成り、軽量であるとともに十分な強度がある。また、エキスパンドメタルから成る足場板１６は採光性があり、天井面２２Ｂに配設したライトの光が足場板１６の下方にも照射される。
【００２９】
ところで、各チェーン１２の環状部１２Ａには、長さ調整装置２０が取り付けられている。図３〜図５に示すように、長さ調整装置２０は主として、本体３４、スライド部材３６、ロッド（第２係合部に相当）４０、及びロッド（第１係合部に相当）４２によって構成される。本体３４は、上下方向に長い矩形状の開口部３４Ａを有し、この開口部３４Ａにスライド部材３６が上下方向にスライド自在に支持されている。スライド部材３６の上部には、調整ボルト３８が回動自在に支持されている。すなわち、調整ボルト３８の下端には、ネジ径よりも大きい円盤体３８Ａが取り付けられており、この円盤体３８Ａがスライド部材３６の係合孔３６Ａに挿入されて係合されている。
【００３０】
本体３４の上面には、ネジ孔３４Ｂが形成されている。ネジ孔３４Ｂは開口部３４Ａに連通されており、このネジ孔３４Ｂに調整ボルト３８が螺合されている。したがって、調整ボルト３８を回転させると、調整ボルト３８が回転しながら上下動し、スライド部材３６を本体３４に対して上下動させることができる。
【００３１】
ロッド４０はスライド部材３６に取り付けられている。ロッド４０は、リング４８に挿入可能な径で形成されるとともに、外周面に雄ねじが形成されている。このロッド４０をリング４８に挿入し、ナット４４にねじ込むことによってリング４８をロッド４０に係合させた状態に保持することができる。
【００３２】
一方、ロッド４２は、本体３４に取り付けられており、ロッド４０と平行に支持されている。ロッド４２は、ロッド４０と同様に、リング４８を挿入可能な径で形成されるとともに、外周面に雄ねじが形成されている。このロッド４２をリング４８に挿入し、ナット４６にねじ込むことによって、リング４８をロッド４２に係合させた状態に保持することができる。
【００３３】
上記の如く構成された長さ調整装置２０によれば、調整ボルト３８を回動操作することによって、スライド部材３６が上下動し、ロッド４０、４２同士の間隔が調節される。したがって、例えば図４に示すように、スライド部材３６を上昇させてロッド４０、４２の間隔を広げると、チェーン１２は長くなり、図５に示すように、スライド部材３６を下降させてロッド４０、４２の間隔を狭めると、チェーン１２は短くなる。これにより、チェーン１２の長さを調整することができる。この長さ調整装置２０によるチェーン１２の長さ調整は、前述したリング４８Ａとリング４８Ｂとの連結位置の変更に伴う長さ調整と異なり、リング４８の一個分以内の微調整を行うことができる。
【００３４】
なお、長さ調整装置２０を、リング４８Ａとリング４８Ｂの連結手段として兼用してもよい。すなわち、図６に示すように、ロッド４０にリング４８Ａとリング４８Ｂを係合させるとともに、ロッド４２にそれ以外のいずれかのリング４８を係合させる。この場合にも、スライド部材３６をスライドさせることによって、チェーン１２の長さ（すなわち、環状部１２Ａの下端位置）を調整することができる。
【００３５】
また、長さ調整装置２０の取付位置は、チェーン１２の環状部１２Ａに限定されるものではなく、環状部１２Ａ以外の部分のチェーン１２に取り付けてもよい。
【００３６】
次に上記の如く構成された吊り足場１０の作用について説明する。
【００３７】
吊り足場１０の組立作業は、まず、天井面２２Ａのブラケット２４にチェーン１２を吊るし、このチェーン１２の下部に環状部１２Ａを形成する。そして、環状部１２Ａ、１２Ａに鋼管１４を挿入し、鋼管１４を水平に支持させる。次いで、鋼管１４の一つを係止部材１８によって壁面２２Ｂに係止する。そして、鋼管１４、１４に足場板１６を架け渡す。これによって、吊り足場１０が組み立てられる。
【００３８】
こうして組み立てられた吊り足場１０は、図１に示すように、その下方にスペースがあるため、吊り足場１０の下方で作業をしたり、吊り足場１０の下方を通って荷物を運搬したりすることができる。
【００３９】
また、組み立てられた吊り足場１０は、係止部材１８によって鋼管１４が壁面２２Ｂに係止されているため、図１の奥行き方向に揺れることを防止できる。したがって、安定した吊り足場１０を形成することができる。
【００４０】
また、吊り足場１０は高さ位置を簡単に調整することができる。すなわち、リング４８Ａと連結するリング４８Ｂを選択することによって、吊り足場１０の高さをリング４８一個単位で調整することができる。さらに、各長さ調整装置２０によって、チェーン１２の長さを微調整することができる。これにより、チェーン１２の長さを簡単に調整することができ、吊り足場１０の高さ位置を自由に調整することができる。
【００４１】
また、長さ調整装置２０でチェーン１２の長さを調整することによって、足場板１６の傾斜を変えることができ、足場板１６を水平に設置することができる。
【００４２】
吊り足場１０を解体する際は、鋼管１４から足場板１６と係止部材１８を取り外した後、鋼管１４をチェーン１２の環状部１２Ａから引き抜き、チェーン１２をブラケット２４から取り外す。これにより、吊り足場１０を解体することができ、吊り足場１０の解体作業を迅速に行うことができる。
【００４３】
このように本実施の形態の吊り足場１０によれば、チェーン１２、鋼管１４、足場板１６、係止部材１８、及び長さ調整装置２０から成る簡易な構成であり、組立作業、及び解体作業を容易に行うことができる。したがって、施工箇所が離れている場合であっても、吊り足場１０を短時間で解体して組み立て直すことができる。
【００４４】
なお、上述した実施の形態は、チェーン１２を躯体２２の天井面２２Ａに吊り下げた例であるが、これに限定するものではなく、躯体２２の側面２２Ｂに吊り下げるようにしてもよい。この場合には、チェーン１２を吊り下げるためのブラケット２４、２４をアンカーボルトによって固定するだけでもよい。
【００４５】
また、上述した実施の形態では、チェーン１２を用いて鋼管１４を吊り下げたが、ワイヤ等の他の紐状部材を用いて吊り下げるようにしてもよい。
【００４６】
さらに、係止部材１８の構成は、上述した実施の形態に限定されるものではない。例えば図６に示す係止部材１８の保持部１８Ａには、ピン５２が挿通される孔１８Ｄ、１８Ｄと、ピン５４が挿通される孔１８Ｅ、１８Ｅが形成されている。また、鋼管１４には、ピン５２、５４が挿通される位置に合わせて、貫通孔１４Ｄ、１４Ｅが形成されている。ピン５２、５４は、鋼管１４を保持部１８Ａに差し込んだ後、貫通孔１４Ｄと孔１８Ｄ、１８Ｄ、又は、貫通孔１４Ｅと孔１８Ｅ、１８Ｅに差し込まれる。そして、ピン５２、５４の先端が保持部１８Ａから突出した後、ピン５２、５４の先端の嵌合孔５２Ａ、５４Ａに固定具５６、５８が嵌合される。これにより、鋼管１４は、鋼管１４と直交する方向だけでなく、鋼管１４の軸方向にも係止部材１８に固定される。したがって、鋼管１４に足場板１６を取り付けて吊り足場１０を形成した際に、吊り足場１０をより安定させることができる。
【図面の簡単な説明】
【００４７】
【図１】本発明に係る吊り足場の構成を模式的に示す側面図
【図２】本発明に係る吊り足場の構成を模式的に示す斜視図
【図３】チェーンの環状部分の組立図
【図４】長さ調整装置を示す側面断面図
【図５】長さ調整装置を示す側面断面図
【図６】図３と異なる構成の長さ調整装置を示す斜視図
【図７】従来の足場を示す斜視図
【符号の説明】
【００４８】
１０…吊り足場、１２…チェーン、１４…鋼管、１６…足場板、１８…係止部材、２０…長さ調整装置、２２…躯体、２４…ブラケット、２６…ボルト、２８…ナット、３０…キャップ、３２…アンカーボルト、３４…本体、３６…スライド部材、３８…ボルト、４０…ロッド、４２…ロッド、４４…ナット、４６…ナット
【図１】
2005090160.tif 000003
【図２】
2005090160.tif 000004
【図３】
2005090160.tif 000005
【図４】
2005090160.tif 000006
【図５】
2005090160.tif 000007
【図６】
2005090160.tif 000008
【図７】
2005090160.tif 000009